(57)【要約】【課題】  ビル等に配置されたＤＳＬＡＭ及びＢＲＡＳにおけるＡＤＳＬ回線の開通試験を効率化し、この試験時間を短縮するＡＤＳＬ試験システム及びその方法を提供する。【解決手段】  本発明のＡＤＳＬシステム試験装置は、電話回線各々に対応したＡＤＳＬ回線の複数のチャンネルを有する集線装置と、この集線装置の収束したＡＤＳＬ回線各々を、所定のプロバイダへの回線接続を行うルータとで構成されるＡＤＳＬシステムの試験を行う試験装置において、複数のＡＤＳＬモデムが設けられ、前記集線装置の各チャンネルが正常に動作するか否かを試験するリンク確立試験を、並列に複数のチャンネルに対して行う試験制御部を有する。【選択図】    図１
2005217756.tif 000002
【特許請求の範囲】
【請求項１】
建物における複数の電話回線各々に接続されたＡＤＳＬ回線の複数のチャンネルを有する集線装置と、この集線装置に集線された電話回線各々に、それぞれ接続されるＡＤＳＬ回線を用い、所定のプロバイダへの回線接続を行うルータと、で構成されるＡＤＳＬシステムの試験を行う試験装置において、
複数のＡＤＳＬモデムが設けられ、前記集線装置の各チャンネルが正常に動作するか否かを試験するリンク確立試験を、並列に複数のチャンネルに対して行う試験制御部を有することを特徴とするＡＤＳＬシステム試験装置。
【請求項２】
前記チャンネル単位に接続する複数の試験端子を有し、設定されたチャンネル数に対応した数の前記試験端子を前記試験制御部へ接続する選択部を有することを特徴とする請求項１記載のＡＤＳＬシステム試験装置。
【請求項３】
前記端子ボックスから前記プロバイダまで回線が接続されるか否かを試験する回線接続試験と、前記リンク確立試験とを、いずれの試験端子に対して行うかを選択する試験選択部を有し、
試験制御部が前記試験選択部により、リンク確立試験で正常と判断したなかから、１つのチャンネルを選択して、このチャンネルに対して、前記回線接続試験を行うことを特徴とすることを特徴とする請求項１または請求項２に記載のＡＤＳＬシステム試験装置。
【請求項４】
前記制御部が、リンク確立試験において、正常でないと判定したチャンネルを、表示部へ表示することを特徴とする請求項１から請求項３のいずれかに記載のＡＤＳＬシステム試験装置。
【請求項５】
建物における複数の電話回線各々に接続されたＡＤＳＬ回線の複数のチャンネルを有する集線装置と、この集線装置に集線された電話回線各々に、それぞれ接続されるＡＤＳＬ回線を用い、所定のプロバイダへの回線接続を行うルータと、で構成されるＡＤＳＬシステムの試験方法であり、
試験制御部が複数のＡＤＳＬモデムにより、前記集線装置のチャンネルが正常に動作するか否かを試験するリンク確立試験を、並列に複数のチャンネルに対して行う過程と、
前記チャンネル単位に接続する複数の試験端子により、設定されたチャンネル数に対応した数の前記試験端子を前記試験制御部へ接続する選択過程と
を有することを特徴とするＡＤＳＬシステム試験方法。
【請求項６】
前記端子ボックスから前記プロバイダまで回線が接続されるか否かを試験する回線接続試験と、前記リンク確立試験とを、いずれの試験端子に対して行うかを選択する試験選択部を有し、
試験制御部が前記試験選択部により、リンク確立試験で正常と判断したなかから、１つのチャンネルを選択して、このチャンネルに対して、前記回線接続試験を行うことを特徴とすることを特徴とする請求項１または請求項２に記載のＡＤＳＬシステム試験方法。
【発明の詳細な説明】
【技術分野】
【０００１】
本発明は、ビル等に配設される、複数のＡＤＳＬ（Asymmetric Digital Subcriber Line：非対称デジタル加入者線）回線を収束し、ルータ等を介して高速・大容量な基幹回線（バックボーン）への接続処理を行う集線装置であるＤＳＬＡＭ（ＤＳＬ Ａccess Ｍultiplexer）に対して、設置した時点における開通試験を行うＡＤＳＬシステム試験装置及びその方法に関するものである。
【背景技術】
【０００２】
ＡＤＳＬは、電話回線を使用して高速なデータ通信を実現したものであり、伝送速度も年々向上しており、これに伴い、インターネットの普及と共に、加入者が著しく増加している。
ＡＤＳＬシステムは、図４に示すように、各加入者宅に設置されたＡＤＳＬモデム１０と、加入者交換局に設置されているＤＳＬＡＭ１１とを有し、上述したように、既設の電話回線を使用して高速なデータ通信を行うものである。ＤＳＬＡＭ１１は複数のパッケージ（例えば、１２パッケージ）から構成されており、さらに、各パッケージ毎に複数チャンネル（例えば、８，１６，３２，６４チャンネル）が設けられ、このチャンネル単位にＡＤＳＬ回線が対応している。
なお、図４に示してはいないが、通常の音声信号とデータ信号とを分離するため、上記ＡＤＳＬモデム１０と、ＤＳＬＡＭ１１とには対向する位置にスプリッタ装置が設けられている。
【０００３】
そして、新たにＡＤＳＬに加入した加入者宅に対して、加入者のパーソナルコンピュータ１２からのＩＰＳ（インターネット・サービス・プロバイダ）１６へのアクセスに対して、ＡＤＳＬモデム１０，ＤＳＬＡＭ１１，ＢＲＡＳ（加入者系ルータ）１３，情報通信網（公衆情報網，専用情報網およびインターネット網などを含む）１５間における接続確認を行う開通試験を行う必要がある。
試験方法としては、加入者交換局において、利用者宅からのＡＤＳＬ回線と、ＤＳＬＡＭ１１のＡＤＳＬ回線とを回線試験装置に接続して、回線が接続されているか否かを判定することが行われている（特許文献１参照）。
【特許文献１】特開２００３−８７３９号公報
【発明の開示】
【発明が解決しようとする課題】
【０００４】
上述した特許文献１に示す回線試験装置にあっては、すでに回線が接続され、保守を目的とした試験に対応しており、加入者交換局においてのみの回線接続試験が行える構成となっている。
しかしながら、近年、インターネットへの加入者が増加するにつれ、マンションの様な集合住宅やテナントの多いビルなどに、加入者交換局に設置されていたＤＳＬＡＭ１１とＢＲＡＳ１３とを設けて、直接に情報通信網１３に接続する形態が増加している。
この様なビル内において、ＡＤＳＬ回線の開通試験を行う場合、ＤＳＬＡＭ１１及びＢＲＡＳ１３の動作確認をも行う必要がある。
【０００５】
このため、従来においては、各加入者宅やテナントの電話線が集線されている端子ボックス１４の端子各々が、ＤＳＬＡＭ１１の各チャンネル端子に接続されているので、この端子ボックスに１４の各端子に対し、試験装置のＡＤＳＬモデムを接続して、ＤＳＬＡＭ１１及びＢＲＡＳ１３を介して、情報通信網１５を経由して、プロバイダなどのＩＳＰ（インターネットサービスプロバイダ）１６に回線接続されるか否かにより、開通試験を行っていた。
ここで、上述のＩＰＳ１６までの回線接続の確認試験（回線接続試験、以下、１ｃａｌｌ試験）は、ＤＳＬＡＭ１１を構成する複数のパッケージに設けられたチャンネルのいずれか１つに対して、図５に示すように、端子ボックス１４の端子に呼出確認装置（内部にＡＤＳＬモデム内蔵）２０を接続して行う。
【０００６】
そして、１つのパッケージにおいて、１つのチャンネルを使用して、１ｃａｌｌ試験を行うことにより、このチャンネルとこのパッケージ自体がインターネットを介してＩＰＳ１６へ回線接続することが確認できる。
このため、各パッケージにおける１ｃａｌｌ試験を行ったチャンネル以外の他のチャンネルに対しては、図５に示すように、１つのチャンネル毎にリンク確立試験装置（ＡＤＳＬモデム内蔵）２１を接続して、各チャンネルのリンク確立を確認する（リンク確立試験を行う）のみとなる。
ところが、１ｃａｌｌ試験を行うとき、チャンネルのハードウェアが故障していた場合、回線接続が行えないため、次々に他のチャンネルにＡＤＳＬを差し替えて、１ｃａｌｌ試験を実施していく必要がある。
【０００７】
また、例えば、リンク確立試験においては、チャンネル毎に試験を行う担当者がＡＤＳＬモデムを繋ぎ替える時間を除いて、１チャンネルについて１分かかるため、パッケージ毎のチャンネル数が３２の場合、１パッケージあたり３２分の試験時間が必要となり、１ｃａｌｌ試験においては１０分の時間が必要である。
各パッケージ毎に全チャンネルのリンク試験を、完全に人手を用いた切り替え処理を行いながら実行すると、非常に時間がかかるという問題がある。
【０００８】
本発明は、このような事情に鑑みてなされたもので、ビル等に配置されたＤＳＬＡＭ及びＢＲＡＳにおけるＡＤＳＬ回線の開通試験を効率化し、この試験時間を短縮するＡＤＳＬ試験システム及びその方法を提供することを目的とする。
【課題を解決するための手段】
【０００９】
本発明のＡＤＳＬシステム試験装置は、建物における複数の電話回線各々に接続されたＡＤＳＬ回線の複数のチャンネルを有する集線装置と、この集線装置に集線された電話回線各々に、それぞれ接続されるＡＤＳＬ回線を用い、所定のプロバイダへの回線接続を行うルータと、で構成されるＡＤＳＬシステムの試験を行う試験装置において、複数のＡＤＳＬモデムが設けられ、前記集線装置の各チャンネルが正常に動作するか否かを試験するリンク確立試験を、並列に複数のチャンネルに対して行う試験制御部を有することを特徴とする。
【００１０】
本発明のＡＤＳＬシステム試験装置は、前記チャンネル単位に接続する複数の試験端子を有し、設定されたチャンネル数に対応した数の前記試験端子を前記試験制御部へ接続する選択部を有することを特徴とする。
【００１１】
本発明のＡＤＳＬシステム試験装置は、前記端子ボックスから前記プロバイダまで回線が接続されるか否かを試験する回線接続試験と、前記リンク確立試験とを、いずれの試験端子に対して行うかを選択する試験選択部を有し、試験制御部が前記試験選択部により、リンク確立試験で正常と判断したなかから、１つのチャンネルを選択して、このチャンネルに対して、前記回線接続試験を行うことを特徴とすることを特徴とする。
【００１２】
本発明のＡＤＳＬシステム試験装置は、前記制御部が、リンク確立試験において、正常でないと判定したチャンネルを、表示部へ表示することを特徴とする。
【００１３】
本発明のＡＤＳＬシステム試験方法は、建物における複数の電話回線各々に接続されたＡＤＳＬ回線の複数のチャンネルを有する集線装置と、この集線装置に集線された電話回線各々に、それぞれ接続されるＡＤＳＬ回線を用い、所定のプロバイダへの回線接続を行うルータと、で構成されるＡＤＳＬシステムの試験方法であり、試験制御部が複数のＡＤＳＬモデムにより、前記集線装置のチャンネルが正常に動作するか否かを試験するリンク確立試験を、並列に複数のチャンネルに対して行う過程と、前記チャンネル単位に接続する複数の試験端子により、設定されたチャンネル数に対応した数の前記試験端子を前記試験制御部へ接続する選択過程とを有することを特徴とする。
【００１４】
本発明のＡＤＳＬシステム試験方法は、前記端子ボックスから前記プロバイダまで回線が接続されるか否かを試験する回線接続試験と、前記リンク確立試験とを、いずれの試験端子に対して行うかを選択する試験選択部を有し、試験制御部が前記試験選択部により、リンク確立試験で正常と判断したなかから、１つのチャンネルを選択して、このチャンネルに対して、前記回線接続試験を行うことを特徴とすることを特徴とする。
【発明の効果】
【００１５】
本発明のＡＤＳＬシステム試験装置によれば、複数のＡＤＳＬモデムを有しており、ＤＳＬＡＭの各チャンネルに対するリンク確立（同期）試験において、予め設定されたチャンネル数に対して、ＡＤＳＬモデムの数に対応した複数のチャンネル単位で、並列に（同時に）リンク確立（同期）試験を行うことができるので、ＤＳＬＡＭのＡＤＳＬ回線に対応するチャンネルの良否（正常／非正常）判定の時間を短縮することが可能となる。
【００１６】
また、本発明のＡＤＳＬシステム試験装置によれば、リンク確立試験において、正常動作をしていると判定されたチャンネルを選択して、ＤＳＬＡＭ，ＢＲＡＳを介し、インターネットを経由して、プロバイダへの回線接続の確信試験を行うため、チャンネルの不良により、回線接続が行えないということがなく、回線接続が行えない場合に、ＤＳＬＡＭのチャンネル不良と、ＤＳＬＡＭからプロバイダまでの回線接続における不良とを区別することができる。
【００１７】
さらに、本発明のＡＤＳＬシステム試験装置によれば、パッケージのチャンネル単位で、作業員が試験端子を繋ぎ替える処理を必要としないため、作業員の勘違い等により、試験を行わないというようなことが無くなり、ＤＳＬＡＭのチャンネルの非正常による開通トラブルの発生を防止することを可能とする。
【発明を実施するための最良の形態】
【００１８】
本発明のＡＤＳＬシステム試験装置の特徴は、図４に示すＡＤＳＬシステムにおいて、集合住宅または複数のテナントが入居しているビル等で、各利用者の複数の電話回線が集線された端子ボックスと、この端子ボックスの各端子に接続される電話回線各々に対応したＡＤＳＬ回線の複数のチャンネルを有する集線装置（図４のＤＳＬＡＭ１１）と、この集線装置の収束したＡＤＳＬ回線各々を、所定のプロバイダへの回線接続を行うルータ（図４のＢＲＡＳ１３）とで構成されるＡＤＳＬシステムの試験を行う試験装置において、複数のＡＤＳＬモデムが設けられ、前記集線装置の各チャンネルが正常に動作するか否かを試験するリンク確立試験を、上記複数のＡＤＳＬモデムにより、並列に複数のチャンネルに対して行う試験制御部（図１の制御部４）を有することである。
【００１９】
以下、本発明の一実施形態によるＡＤＳＬシステム試験を図面を参照して説明する。図１は同実施形態の一構成例を示すブロック図である。試験対象のＡＤＳＬシステムの構成に関しては、従来例の説明において使用した図４の構成と同様である。試験が行われた後、正常に動作するＤＳＬＡＭ１１のチャンネルに、電話回線を介して、各加入者宅（テナント）のＡＤＳＬモデム１０が接続される。
選択部１は、ビルもしくは建物内の電話線が集線される端子ボックスの端子に接続する複数の試験端子（例えば、６４本）を有しており、回線数設定部２に設定される設定数に対応する試験端子を試験選択部３に電気的に接続する。
【００２０】
ここで、選択部１の有する多芯マルチケーブルに接続された試験端子の数は、ＤＳＬＡＭ１１のパッケージ毎のチャンネル数に対応した数で設けられている。（多芯マルチケーブルの各信号線に試験端子が割り当てられ、選択部１におのおのの試験端子が電気的に接続されている。）ここで、パッケージとは、所定数のＡＤＳＬ回線のチャンネル回路が実装され、実装されたチャンネル回路とＢＲＡＳ１３（ルータ）とを接続する接続回路が設けられた、ＡＤＳＬ回線制御基板である。
すなわち、試験を行う作業員が、ＡＤＳＬ回線の開通試験を行うために、端子ボックス１４の各端子に対して、試験端子を繋ぎ替えるのが非効率的であるため、できれば、パッケージ単位で、試験端子を繋ぎ替えずに開通試験を行うのが効率的である。
このため、試験端子の数は、試験を行うＤＳＬＡＭ１１に設けられたパッケージの有するチャンネル数に対応していることが望ましい。
【００２１】
図２に示すように、例えば、多芯マルチケーブルの先の試験端子の数が６４個有り、ＤＳＬＡＭ１１の各パッケージが３２個のチャンネルを有していれば、多芯マルチケーブルの先の６４個の試験端子のうち、３２個の試験端子をそれぞれ、試験ボックス１４の端子に接続し、回線数設定部２に３２を設定する。ここで、選択部１は、回線数設定部２に設定した数の試験端子を、シリアル番号順に制御部４に電気的に接続する。
これにより、試験ボックス１４の各端子に対応した、ＤＳＬＡＭ１１のチャンネル各々が試験端子を介して、制御部４に電気的に接続されることとなる。
【００２２】
試験選択部３は、電気的に接続された各試験端子に対して、１ｃａｌｌ試験（いずれかの端子を介しての呼出確認）を行うか、またはリンク確立（同期確認）の試験を行うかの選択を、制御部４の制御により行う。
制御部４は、１ｃａｌｌ試験用の１台のＡＤＳＬモデムと、リンク確立試験用の複数、例えば８台のＡＤＳＬモデムとが設けられており、各ＡＤＳＬモデムによる試験結果を集計する。
表示部５は、ＣＲＴ（Cathode Ray Tube）または液晶ディスプレイであり、試験結果が表示される。
出力部６は、プリンタなどであり、表示部４に表示された試験結果を、利用者の指示により印刷する。
【００２３】
次に、図３を用いて、本発明の一実施形態によるＡＤＳＬシステム試験装置の動作説明を行う。図３は、ＡＤＳＬシステム試験装置の一動作例を示すフローチャートである。
試験を行う作業者が、図２に示すように、ＤＳＬＡＭ１１のパッケージ（３２個のチャンネルを有している）のチャンネルに対応した、端子ボックス１４の端子各々に、それぞれ試験端子を接続する（ステップＳ１）。これにより、パッケージのチャンネル全てに試験端子が接続されたことになる。
【００２４】
ここで、選択部１から出力される試験端子が６４個あるとすると、パッケージにおけるチャンネル数が３２であるため、作業作は回線数設定部２に「３２」を設定する。これにより、選択部１は、この「３２」の設定値が入力され、６４本の試験端子のうち、１〜３２番目の各試験端子を制御部４に対して接続する（ステップＳ２）。
【００２５】
そして、制御部４は、ＤＳＬＡＭ１１におけるＡＤＳＬ回線に対応したチャンネルの試験を開始する。
このとき、制御部４は、接続されている１〜３２の試験端子のうち、１〜８までの試験端子を、内蔵されているＡＤＳＬモデムに接続して、リンク確立の試験を行う（ステップＳ３）。
そして、制御部４は、１〜８の各試験端子に接続された８個のチャンネルが正常に動作しているか否かの判定を、各試験端子に接続したＡＤＳＬモデムの検出結果に基づいて行い、処理をステップＳ５へ進める（ステップＳ４）。
【００２６】
制御部４は、ステップＳ４における良否判定の後、何回目の測定であるかの判定、すなわち、パッケージ単位の開通試験で１回目の良否判定後であるか、２回目以降の良否判定後であるかの判定を行う。
ここで、制御部４は、１回目の測定であることを判定すると処理をステップＳ６へ進めると共に、並列にステップ８〜ステップＳ１１の時系列に行うよう処理を進める（ステップＳ５）。
ここで、制御部４は、１回目の試験で測定したチャンネル（１〜８までの試験端子に対応）において、リンク確立試験で正常と判定したチャンネル（１〜８までのいずれか１つのチャンネル）を使用して、１ｃａｌｌ試験を１回のみ行い、すなわち、１ｃａｌｌ試験がＤＳＬＡＭ１１のパッケージ毎に１回行うことで、プロバイダに対するアクセスが正常に行えるか否かが判定できるため、２回目以降の試験のタイミングでは１ｃａｌｌ試験を実行しない。
【００２７】
次に、ステップＳ４の良否判定の後、制御部４は接続した試験端子全てに対して、リンク試験が行われたか否かの判定を行う（ステップＳ６）。
ここで、３２個の試験端子が制御部４に接続されているため、「１〜８」（端子ボックス１４の１列目），「９〜１６」（端子ボックス１４の２列目），「１７〜２４」（端子ボックス１４の３列目），「２５〜３２」（端子ボックス１４の４列目）の４回、８個の試験端子に対して、順次、内蔵のＡＤＳＬモデムを接続し、並列にリンク確立試験を実行する。
【００２８】
したがって、制御部４は、並列に行うリンク確立試験の４回目が終了したことが確認されないと、処理をステップＳ３に戻し、「１〜８」番目の試験端子の試験が終了した後、「１〜８」番目の試験端子を内蔵のＡＤＳＬモデムと切り離し、新たに、「９〜１６」番目の試験端子を内蔵のＡＤＳＬモデムと接続して、リンク確立の試験を行う。
このとき、制御部４は、回線数設定部２に入力された試験を行う回線数を、内蔵するＡＤＳＬモデムの数で除算し、すなわち設定数の「３２」をＡＤＳＬモデム数の「８」で除算し、「４」の回数値を得る。
【００２９】
そして、制御部４は、リンク確認試験の「１」回目の場合にのみ、ステップＳ７へ処理を移行させ、「２」，「３」，「４」回目の場合には、ステップＳ７に処理を移行することを行わず、ステップＳ５のみに処理を移行する。
そして、制御部４は、接続されている全ての試験端子に対するリンク確立の試験が終了したことを確認すると、表示部５に対して正常でないと判定されたチャンネルを識別する情報を表示し、試験結果を出力する（ステップＳ７）。
【００３０】
また、制御部４は、ステップＳ６以降において２回目（２列目の端子に対応するチャンネル）のリンク確立試験の処理を行うと共に、１回目のリンク確立試験の結果から、すなわち、「１〜８」番目の試験端子に接続されているチャンネルの正常／非正常の判定結果から、正常と判定したチャンネルのいずれかを選択し（ステップＳ８）、この選択したチャンネルを使用して、回線接続試験を行う（ステップＳ９）。
そして、制御部４は、所定のプロバイダにアクセスできた場合（Pingを送信して、プロバイダのサーバからの返答を、一定時間以内に受信した場合）に正常と判定し、所定のプロバイダにアクセスできなかった場合（Pingを送信して、プロバイダのサーバからの返答を、一定時間以内に受信できなかった場合）に非正常と判定する（ステップＳ１１）。
このとき、制御部４は、正常と判定した場合に試験を終了し、非正常と判定した場合にアクセス出来なかったことを示す情報を表示部５へ表示する。
【００３１】
ステップＳ１２において、作業員は、上記非正常の判定表示に基づき、故障箇所（不良箇所）の探索を行う。
ここで、１ｃａｌｌ試験に用いたチャンネルは、リンク確立試験において正常と判定しているため、ＤＳＬＡＭ１１のパッケージの出力側と、プロバイダとの間に問題があることが切り分けられている。
このステップＳ１２の処理を行うと共に、ＤＳＬＡＭ１１の次のパッケージ（他のパッケージ）のチャンネルに対応した、端子ボックス１４の端子（２回目で有れば「９〜１６」の端子）に試験端子を接続し、このパッケージに対して、上述した１つめのパッケージに対すると同様の開通試験を行う。このように、順次、ＤＳＬＡＭ１１における全てのパッケージに対して、ＡＤＳＬ回線の開通試験を行う。
【００３２】
なお、図１における制御部１及び他のＡＤＳＬシステム試験装置の各部の機能を実現するためのプログラムをコンピュータ読み取り可能な記録媒体に記録して、この記録媒体に記録されたプログラムをコンピュータシステムに読み込ませ、実行することによりＡＤＳＬシステムの試験を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３４】
【図１】本発明の一実施形態のＡＤＳＬシステム試験装置の一構成例を示すブロック図である。
【図２】本発明の一実施形態のＡＤＳＬシステム試験装置の試験処理を説明するための概念図である。
【図３】図１に示すＡＤＳＬシステム試験装置を用いたＡＤＳＬ回線の開通試験の一動作例を示すフローチャートである。
【図４】試験対象となるＡＤＳＬシステムの構成例を示す概念図である。
【図５】従来のＡＤＳＬシステム試験装置の試験処理を説明するための概念図である。
【符号の説明】
【００３５】
１…選択部
２…回線数設定部
３…試験選択部
４…制御部
５…表示部
６…出力部
１１…ＤＳＬＡＭ
１３…ＢＲＡＳ
１４…端子ボックス
１５…情報通信網
１６…ＩＳＰ
【図１】
2005217756.tif 000003
【図２】
2005217756.tif 000004
【図３】
2005217756.tif 000005
【図４】
2005217756.tif 000006
【図５】
2005217756.tif 000007